(57)【要約】【課題】  安価な構造で防塵機能を備えダストカバーを安定的に支持すること。【解決手段】  筐体１内に配置したディスク装置本体２が、ローダーシャーシ６と、該ローダーシャーシ６に前後進ａ，ｂ可能に支持されたディスクＤ載置用トレイ９と、ターンテーブル１４及び光ピックアップ１６を搭載した上下動ｃ，ｄ可能なトラバースシャーシ１３とを有し、プレイモードで、トレイ９上のディスクＤをターンテーブル１４で持ち上げ、該ターンテーブル１４により高速回転させたディスクＤに記録されている情報を光ピックアップ１６で読み取るように形成され、ローダーシャーシ６の下面を覆う合成樹脂製ダストカバー１２が設けられ、該ダストカバー１２を介してローダーシャーシ６が筐体１のボトムシャーシ１ｂ上に複数の基台７，８を介して固定され、その複数の基台７，８のうち、その適当な基台７がダストカバー１２に一体形成されている。【選択図】        図２
2009020938.tif 000002
【特許請求の範囲】
【請求項１】
筐体内に配置したディスク装置本体が、ローダーシャーシと、該ローダーシャーシに前
後進可能に支持されたディスク載置用トレイと、ターンテーブル及び光ピックアップを搭
載した上下動可能なトラバースシャーシとを有し、プレイモードで、トラバースシャーシ
を上動させることによりトレイ上のディスクをターンテーブルで持ち上げ、該ターンテー
ブルにより高速回転させたディスクに記録されている情報を光ピックアップで読み取るよ
うに形成され、前記ローダーシャーシの下面を覆う合成樹脂製ダストカバーが設けられ、
該ダストカバーを介してローダーシャーシが筐体のボトムシャーシ上に複数の基台を介し
て固定されたディスク装置において、前記複数の基台のうち、その適当な基台が前記ダス
トカバーに一体形成されていることを特徴とするディスク装置。
【請求項２】
前記トラバースシャーシがターンテーブル及び光ピックアップを搭載したシャーシ本体
及び昇降体を有し、前記シャーシ本体の後部が後側弾性体を介してローダーシャーシに連
結されると共に、該シャーシ本体の前部が前側弾性体を介して前記昇降体に連結され、該
昇降体の両端に一体突設した一対のガイド片が前記ローダーシャーシの両側板に一体突設
したガイド枠に昇降可能に係合され、前記ローダーシャーシの前部に前後進方向とは直行
する左右方向に沿ってスライド可能なカムスライダにカム機構を介して前記昇降体が連動
連結されており、トレイオープン時に、カムスライダをスライドさせることにより、カム
機構を介して昇降体をガイド枠に沿って下降させると共に、前側弾性体を介してシャーシ
本体を下動させ、ターンテーブル上のディスクをトレイ上に移し替え、該トレイを前進さ
せるように形成され、前記ダストカバーの各ガイド枠に対向する部分を該ダストカバー内
に窪ませることにより該各ガイド枠の下端に接近する一対のガイド片離脱阻止用ストッパ
がそのダストカバーに一体形成されていることを特徴とする請求項１に記載のディスク装
置。
【請求項３】
筐体内にディスク装置本体と磁気テープ装置とが並設され、該筐体のフロントパネルに
ディスク取出口とテープカセット取出口とがほぼ同一高さで形成され、前記ディスク装置
本体が、ローダーシャーシと、該ローダーシャーシに前後進可能に支持されたディスク載
置用トレイと、ターンテーブル及び光ピックアップを搭載した上下動可能なシャーシ本体
及び昇降体を有するトラバースシャーシとからなり、前記シャーシ本体の後部が後側弾性
体を介してローダーシャーシに連結されると共に、該シャーシ本体の前部が前側弾性体を
介して前記昇降体に連結され、該昇降体の両端に一体突設した一対のガイド片が前記ロー
ダーシャーシの両側板に一体突設したガイド枠に昇降可能に係合され、前記ローダーシャ
ーシの前部に前後進方向とは直行する左右方向に沿ってスライド可能なカムスライダにカ
ム機構を介して前記昇降体が連動連結されており、プレイモードで、カムスライダをスラ
イドさせることにより、カム機構を介して昇降体をガイド枠に沿って上昇させると共に、
前側弾性体を介してシャーシ本体を上動させることにより、トレイ上のディスクをターン
テーブルで持ち上げ、該ターンテーブルにより高速回転させたディスクに記録されている
情報を光ピックアップで読み取るように形成され、トレイオープン時に、カムスライダを
スライドさせることにより、カム機構を介して昇降体をガイド枠に沿って下降させると共
に、前側弾性体を介してシャーシ本体を下動させ、ターンテーブル上のディスクをトレイ
上に移し替え、該トレイを前進させるように形成され、前記ローダーシャーシの下面を覆
う合成樹脂製ダストカバーが設けられ、該ダストカバーを介してローダーシャーシが筐体
のボトムシャーシ上に複数の基台を介して固定されたディスク装置において、前記複数の
基台のうち、適当な基台が前記ダストカバーに一体形成され、前記ダストカバーの各ガイ
ド枠に対向する部分を該ダストカバー内に窪ませることにより該各ガイド枠の下端に接近
する一対のガイド片離脱阻止用ストッパがそのダストカバーに一体形成されていることを
特徴とするディスク装置。
【発明の詳細な説明】
【技術分野】
【０００１】
本発明は、例えば磁気テープ装置一体型ＤＶＤレコーダなどのディスク装置に関し、特
に、安価な構造で防塵機能を備えダストカバーを安定的に支持することができるようにし
たものである。
【背景技術】
【０００２】
従来、ディスク装置の一例として図８及び図９に示すものがあり、これは磁気テープ装
置一体型ＤＶＤレコーダであって、図８は同正面図、図９は同一部切欠き平面図である。
【０００３】
図８及び図９に示すように、筐体１内にディスク装置本体２と磁気テープ装置３とが並
設され、該筐体１のフロントパネル１ａにディスク取出口４とテープカセット取出口５と
がほぼ同一高さｈで形成され、前記ディスク装置本体２が筐体１のボトムシャーシ１ｂ上
に複数の基台７，８を介して固定されている。なお、１０，１１は各取出口４，５にそれ
ぞれ開閉可能に配置した開閉ドアである。
【０００４】
図１０〜図１３に示すように、前記ディスク装置本体２の具体例として特許文献１に記
載したものがあり、図１０は同拡大横断面図、図１１は同拡大縦断面図、図１２は同分解
斜視図、図１３は同ダストカバーの斜視図である。
【０００５】
図１０〜図１３に示すように、前記ディスク装置本体２は、ローダーシャーシ６と、該
ローダーシャーシ６に前後進ａ，ｂ可能に支持されたディスクＤ載置用トレイ９と、シャ
ーシ本体１３Ａ及び昇降体１３Ｂを有するトラバースシャーシ１３とからなり、前記シャ
ーシ本体１３Ａの後部が後側弾性体１７を介してローダーシャーシ６に上下動ｃ，ｄ可能
に連結されると共に、該シャーシ本体１３Ａの前部が前側弾性体１８を介して昇降体１３
Ｂに連結され、該昇降体１３Ｂの両端に一体突設した一対のガイド片１９がローダーシャ
ーシ６の両側板６ａに一体突設したガイド枠２０に昇降可能に係合され、前記シャーシ本
体１３Ａにターンテーブル１４付きスピンドルモータ１５及び対物レンズＯＬ付き光ピッ
クアップ１６が搭載されている。図１０中、２１は各基台７，８をボトムシャーシ１ｂに
固定するための基台固定ビスである。
【０００６】
図１０及び図１１に示すように、前記ローダーシャーシ６の前部に前後進ａ，ｂ方向と
は直行する左右方向ｅ，ｆに沿ってスライド可能なカムスライダ２２が設けられ、該カム
スライダ２２に形成したカム溝２３ａと、昇降体１３Ｂに突設されてカム溝２３ａに嵌入
するカムピン２３ｂとからなるカム機構２３を介してそのカムスライダ２２に昇降体１３
Ｂが連動連結されている。
【０００７】
図１０〜図１２に示すように、ローダーシャーシ６の両側板６ａ間に架設した横桁２５
の中央に設けたクランパ収納部２５ａ内にクランパ２６が一定範囲内昇降可能に配置され
ており、そのクランパ２６とターンテーブル１４とでディスクＤをクランプする。
【０００８】
図１０〜図１２に示すように、ローダーシャーシ６の両側板６ａに前後左右４つの脚部
６ｂが一体突設され、そのローダーシャーシ６の下面を覆う合成樹脂製ダストカバー１２
が設けられており、これによって、ディスクＤを高速回転させることにより発生した空気
流により塵埃がローダーシャーシ６内に吸い込まれるのを阻止し、その塵埃が対物レンズ
ＯＬなどに付着して読み取りエラー生じたり故障の原因になるのを防ぐことができる。
【０００９】
図１３に示すように、前記ダストカバー１２は、ローダーシャーシ６とほぼ同一平面形
状の底板１２ａと、該底板１２ａの前後左右側縁から直角に立ち上がる前後両端板１２ｂ
，１２ｃ及び左右両側板１２ｄ，１２ｅとを有し、該各側板１２ｄ，１２ｅの前後両端に
脚部載置板２８が一体突設され、該各脚部載置板２８にビス挿通孔２９と位置決め孔３０
が貫設され、適当な複数（この例では２つ）の脚部載置板２８に弾性変位可能なＵ字板３
１が一体突設されている。図１２中、３２は各脚部６ｂに貫設したビス挿通孔、３３，３
４は各基台７，８の上面に貫設したねじ孔と位置決め孔である。
【００１０】
ダストカバー１２の取付手順を説明すると、ローダーシャーシ６の下面にダストカバー
１２を押し付けることにより、各Ｕ字板３１を弾性変位させて各脚部６ｂに係合させると
共に、該各脚部６ｂの下面に一体突設した位置決め突起部（図示せず）を各位置決め孔３
０に嵌入させることにより、ダストカバー１２の各脚部載置板２８を各脚部６ｂの下面に
当接させ、そのダストカバー１２をローダーシャーシ６の下面に仮止めする。その後、図
１２に示すように、各脚部載置板２８を各基台７，８の上面に載置すると共に、各位置決
め孔３０から突出する位置決め突起部（図示せず）を各基台７，８の位置決め孔３４に嵌
入させ、脚部固定ビス３５を各ビス挿通孔３２，２９を介してねじ孔３３にねじ込むこと
により、ローダーシャーシ６及びダストカバー１２を各基台７，８に固定する（図１０及
び図１１参照）。
【００１１】
動作原理を説明すると、図１０及び図１１の実線はプレイモードを示しており、ローデ
ィング信号に基づいてカムスライダ２２を矢印ｅ方向にスライドさせることにより、カム
機構２３を介して昇降体１３Ｂをガイド枠２０に沿って上昇させると共に、前側弾性体１
８を介してシャーシ本体１３Ａを上動ｃさせて水平姿勢にすることにより、トレイ９上の
ディスクＤをターンテーブル１４で持ち上げ、該ターンテーブル１４とクランパ２６とで
ディスクＤをクランプし、スピンドルモータ１５によりターンテーブル１４を介してディ
スクＤを高速回転させ、該ディスクＤに記録されている情報を光ピックアップ１６により
読み取り、映像情報の再生または録画を行う。
【００１２】
トレイオープン時には、カムスライダ２２を矢印ｆ方向にスライドさせることにより、
カム機構２３を介して昇降体１３Ｂをガイド枠２０に沿って下降させると共に、前側弾性
体１８を介してシャーシ本体１３Ａを下動ｄさせて傾斜姿勢にすることにより（図１０及
び図１１の仮想線参照）、ターンテーブル１４からトレイ９上にディスクＤを受け渡し、
該トレイ９を前進ａさせ、そのトレイ９上からディスクＤを取り外したり新たなディスク
Ｄを載置する。
【００１３】
図１０に示すように、板金からなる基台７から切り出して水平に延びるガイド片離脱阻
止用ストッパ３６がダストカバー１２の開口部１２ｆを通って一方のガイド枠２０の下端
に接近され、ダストカバー１２の他方のガイド枠２０に対向する部分を該ダストカバー１
２内に窪ませることによりその他方のガイド枠２０の下端に接近する横断面略コ字状のガ
イド片離脱阻止用ストッパ３７がそのダストカバー１２に一体形成されている。
【００１４】
上記構成によれば、例えばトレイオープン状態（図１０及び図１１の仮想線参照）で、
筐体１に落下などの衝撃が加えられたときに、その衝撃でガイド片１９がガイド枠２０か
ら離脱しかけても、その離脱をストッパ３６，３７で阻止するので、トラバースシャーシ
１３の下がり過ぎを確実に防止して、そのトラバースシャーシ１３を所定通りに円滑に上
下動ｃ，ｄさせる。
【特許文献１】実用新案登録第３１３０３１０号公報
【発明の開示】
【発明が解決しようとする課題】
【００１５】
上記従来の構成では、図８に示すように、ローダーシャーシ６を所定高さ位置に保持す
るために、該ローダーシャーシ６を複数の基台７，８で支えており、その複数の基台７，
８を用いている分だけ部品点数が増加して製作費が高くつく。
【００１６】
また、ローダーシャーシ６及びダストカバー１２が脚部固定ビス３５により各基台７，
８に一体連結されているから、トレイ９の前後進ａ，ｂによりローダーシャーシ６に長期
にわたって加えられる振動で脚部固定ビス３５が緩むと、ローダーシャーシ６及びダスト
カバー１２が各基台７，８上で前後左右に動揺して騒音を発生させると共に、光ピックア
ップ１６による読み取りエラーの原因にもなる。
【００１７】
更に、基台７から延びるストッパ３６をダストカバー１２内に差し込むために、そのダ
ストカバー１２に開口部１２ｆが開設されているから、その開口部１２ｆを通ってダスト
カバー１２内に塵埃が吸い込まれやすく、そのダストカバー１２が防塵機能を充分に果し
ていない。
【００１８】
本発明は、上記従来の欠点に鑑み、安価な構造で防塵機能を備えダストカバーを安定的
に支持することができるようにしたディスク装置を提供することを目的としている。
【課題を解決するための手段】
【００１９】
上記目的を達成するため、請求項１に記載の発明は、筐体内に配置したディスク装置本
体が、ローダーシャーシと、該ローダーシャーシに前後進可能に支持されたディスク載置
用トレイと、ターンテーブル及び光ピックアップを搭載した上下動可能なトラバースシャ
ーシとを有し、プレイモードで、トラバースシャーシを上動させることによりトレイ上の
ディスクをターンテーブルで持ち上げ、該ターンテーブルにより高速回転させたディスク
に記録されている情報を光ピックアップで読み取るように形成され、前記ローダーシャー
シの下面を覆う合成樹脂製ダストカバーが設けられ、該ダストカバーを介してローダーシ
ャーシが筐体のボトムシャーシ上に複数の基台を介して固定されたディスク装置において
、前記複数の基台のうち、その適当な基台が前記ダストカバーに一体形成されていること
を特徴としている。
【００２０】
請求項２に記載の発明は、請求項１に記載の発明において、前記トラバースシャーシが
ターンテーブル及び光ピックアップを搭載したシャーシ本体及び昇降体を有し、前記シャ
ーシ本体の後部が後側弾性体を介してローダーシャーシに連結されると共に、該シャーシ
本体の前部が前側弾性体を介して前記昇降体に連結され、該昇降体の両端に一体突設した
一対のガイド片が前記ローダーシャーシの両側板に一体突設したガイド枠に昇降可能に係
合され、前記ローダーシャーシの前部に前後進方向とは直行する左右方向に沿ってスライ
ド可能なカムスライダにカム機構を介して前記昇降体が連動連結されており、トレイオー
プン時に、カムスライダをスライドさせることにより、カム機構を介して昇降体をガイド
枠に沿って下降させると共に、前側弾性体を介してシャーシ本体を下動させ、ターンテー
ブル上のディスクをトレイ上に移し替え、該トレイを前進させるように形成され、前記ダ
ストカバーの各ガイド枠に対向する部分を該ダストカバー内に窪ませることにより該各ガ
イド枠の下端に接近する一対のガイド片離脱阻止用ストッパがそのダストカバーに一体形
成されていることを特徴としている。
【００２１】
請求項３に記載の発明は、筐体内にディスク装置本体と磁気テープ装置とが並設され、
該筐体のフロントパネルにディスク取出口とテープカセット取出口とがほぼ同一高さで形
成され、前記ディスク装置本体が、ローダーシャーシと、該ローダーシャーシに前後進可
能に支持されたディスク載置用トレイと、ターンテーブル及び光ピックアップを搭載した
上下動可能なシャーシ本体及び昇降体を有するトラバースシャーシとからなり、前記シャ
ーシ本体の後部が後側弾性体を介してローダーシャーシに連結されると共に、該シャーシ
本体の前部が前側弾性体を介して前記昇降体に連結され、該昇降体の両端に一体突設した
一対のガイド片が前記ローダーシャーシの両側板に一体突設したガイド枠に昇降可能に係
合され、前記ローダーシャーシの前部に前後進方向とは直行する左右方向に沿ってスライ
ド可能なカムスライダにカム機構を介して前記昇降体が連動連結されており、プレイモー
ドで、カムスライダをスライドさせることにより、カム機構を介して昇降体をガイド枠に
沿って上昇させると共に、前側弾性体を介してシャーシ本体を上動させることにより、ト
レイ上のディスクをターンテーブルで持ち上げ、該ターンテーブルにより高速回転させた
ディスクに記録されている情報を光ピックアップで読み取るように形成され、トレイオー
プン時に、カムスライダをスライドさせることにより、カム機構を介して昇降体をガイド
枠に沿って下降させると共に、前側弾性体を介してシャーシ本体を下動させ、ターンテー
ブル上のディスクをトレイ上に移し替え、該トレイを前進させるように形成され、前記ロ
ーダーシャーシの下面を覆う合成樹脂製ダストカバーが設けられ、該ダストカバーを介し
てローダーシャーシが筐体のボトムシャーシ上に複数の基台を介して固定されたディスク
装置において、前記複数の基台のうち、適当な基台が前記ダストカバーに一体形成され、
前記ダストカバーの各ガイド枠に対向する部分を該ダストカバー内に窪ませることにより
該各ガイド枠の下端に接近する一対のガイド片離脱阻止用ストッパがそのダストカバーに
一体形成されていることを特徴としている。
【発明の効果】
【００２２】
請求項１に記載の発明によれば、ローダーシャーシを所定高さ位置に保持するための複
数の基台うち、適当な基台がダストカバーに一体形成されて部品点数が少なくなっており
、その少なくなった部品点数の分だけ製作費が安くつく。
【００２３】
また、トレイの前後進によりローダーシャーシに長期にわたって振動が加えられても、
その振動によりダストカバーとそれに一体形成した基台との間で緩みが生じないから、従
来のようにローダーシャーシ及びダストカバーが各基台上で前後左右に動揺して騒音を発
生させることが無くなり、光ピックアップによる読み取りエラーの原因にもならず、実用
性に優れている。
【００２４】
請求項２に記載の発明によれば、一対のガイド片離脱阻止用ストッパが、ダストカバー
の各ガイド枠に対向する部分を該ダストカバー内に窪ませることにより形成されているの
で、従来のように基台から延びるストッパを差し込むための開口部をダストカバーに開設
する必要が無く、そのダストカバーでローダーシャーシの下面を確実に塞いで防塵機能を
高めることができる。
【００２５】
請求項３に記載の発明は実施の一形態（図１〜図５参照）に対応するものであって、こ
れによれば、ローダーシャーシを所定高さ位置に保持するための複数の基台うち、適当な
基台がダストカバーに一体形成されて部品点数が少なくなっており、その少なくなった部
品点数の分だけ製作費が安くつく。
【００２６】
また、トレイの前後進によりローダーシャーシに長期にわたって振動が加えられても、
その振動によりダストカバーとそれに一体形成した基台との間で緩みが生じないから、従
来のようにローダーシャーシ及びダストカバーが各基台上で前後左右に動揺して騒音を発
生させることが無くなり、光ピックアップによる読み取りエラーの原因にもならず、実用
性に優れている。
【００２７】
更に、一対のガイド片離脱阻止用ストッパが、ダストカバーの各ガイド枠に対向する部
分を該ダストカバー内に窪ませることにより形成されているので、従来のように基台から
延びるストッパを差し込むための開口部をダストカバーに開設する必要が無く、そのダス
トカバーでローダーシャーシの下面を確実に塞いで防塵機能を高めることができる。
【００２８】
要するに、ディスク装置のディスク取出口と磁気テープ装置のテープカセット取出口と
がほぼ同一高さで形成された外観上の体裁が良好な磁気テープ装置一体型ディスク装置を
提供することができる。
【発明を実施するための最良の形態】
【００２９】
図１〜図５は本発明の実施の一形態であるディスク装置を示すものであり、これは磁気
テープ装置一体型ＤＶＤレコーダであって、図１は同拡大横断面図、図２は同拡大縦断面
図、図３は同斜視図、図４は同ダストカバーの斜視図、図５は同ダストカバーの平面図で
ある。
【００３０】
図１〜図５に示すように、ローダーシャーシ６を支える複数の基台７，８のうち、その
一方の基台７が前後２本の横断面略コ字状基枠７ａ，７ｂからなり、該各基枠７ａ，７ｂ
の上端がダストカバー１２の前後両端板１２ｂ，１２ｃと一方の側板１２ｄとの間のコー
ナ部に一体形成され、その各基枠７ａ，７ｂの底板が基枠固定ビス３９によりボトムシャ
ーシ１ｂに固定されている。他方の基台８は既存のものをそのまま使用して磁気テープ装
置３の基板３ａに固定されている。
【００３１】
ダストカバー１２の取付手順を説明すると、ダストカバー１２をローダーシャーシ６の
下面に押し付けることにより、各Ｕ字板３１を弾性変位させて各脚部６ｂに係合させると
共に、該各脚部６ｂの下面に一体突設した位置決め突起部４０（図５参照）を各脚部載置
板２８の位置決め孔３０に嵌入させることにより、その各脚部載置板２８を各脚部６ｂの
下面に当接させ、そのダストカバー１２をローダーシャーシ６の下面に仮止めする。その
後、図１に示すように、各脚部６ｂのビス挿通孔３２を通って各脚部載置板２８のねじ孔
４１に脚部固定ビス３５をねじ込むことにより、ローダーシャーシ６の下面にダストカバ
ー１２を固定する。続けて、各基枠７ａ，７ｂの底板に貫通したビス挿通孔４２を通って
基枠固定ビス３９をボトムシャーシ１ｂのねじ孔にねじ込むことにより、ダストカバー１
２をボトムシャーシ１ｂに固定する。
【００３２】
上記構成によれば、一方の基台７を形成する基枠７ａ，７ｂがダストカバー１２に一体
形成されて部品点数が少なくなっているから、その少なくなっている分だけ従来（図１２
参照）に比べて製作費が安くつく。
【００３３】
また、トレイ９の前後進ａ，ｂによりローダーシャーシ６に長期にわたって振動が加え
られても、その振動によりダストカバー１２と各基枠７ａ，７ｂとの間で緩みが生じない
から、従来のようにローダーシャーシ６及びダストカバー１２が各基台７，８上で前後左
右に動揺して騒音を発生させることが無くなり、光ピックアップ１６による読み取りエラ
ーの原因にもならず、実用性に優れている。
【００３４】
図１に示すように、ダストカバー１２の各ガイド枠２０にに対向する部分を該ダストカ
バー１２内に窪ませることにより該各ガイド枠２０の下端に接近する一対の横断面略コ字
状ガイド片離脱阻止用ストッパ３７がそのダストカバー１２に一体形成されている。上記
以外の構成は図８〜図１３に示す構成とほぼ同じであるから、同一部分に同一符号を付し
てその説明を省略する。
【００３５】
上記構成によれば、例えばトレイオープン状態で（図１及び図２の仮想線参照）、筐体
１に落下などの衝撃が加えられたときに、その衝撃でガイド片１９がガイド枠２０から離
脱しかけても、その離脱をストッパ３７で阻止するので、トラバースシャーシ１３の下が
り過ぎを確実に防止して、そのトラバースシャーシ１３を所定通りに円滑に上下動ｃ，ｄ
させることができる。
【００３６】
しかも、一対のガイド片離脱阻止用ストッパ３７が、ダストカバー１２の各ガイド枠２
０に対向する部分を該ダストカバー１２内に窪ませることにより形成されているので、従
来のように基台７から延びるストッパ３６を差し込むための開口部１２ｆ（図１０参照）
をダストカバー１２に開設する必要が無く、そのダストカバー１２でローダーシャーシ６
の下面を確実に塞いで防塵機能を高めることができる。
【００３７】
上記実施の形態では、一方の基台７がダストカバー１２に一体形成した基枠７ａ，７ｂ
からなり、他方の基台８は既存のものをそのまま使用したが、図６の斜視図及び図７の平
面図に示すように、他方の基台８も前後２本の横断面略コ字状基枠８ａ，８ｂで形成して
もよく。この場合、各基枠８ａ，８ｂの上端がダストカバー１２の前後両端板１２ｂ，１
２ｃと他方の側板１２ｅとの間のコーナ部に一体形成され、その各基枠８ａ，８ｂの底板
が基枠固定ビス３９によりボトムシャーシ１ｂに固定される。
【００３８】
上記構成によれば、図１〜図５に示す構成とほぼ同じ作用効果を得ることができ、特に
、ローダーシャーシ６が４本の基枠７ａ，７ｂ，８ａ，８ｂで支えられているので、その
ローダーシャーシ６を一層安定して自立させることができる。
【産業上の利用可能性】
【００３９】
上記の実施の形態では、磁気テープ装置一体型ＤＶＤレコーダを例にあげて説明したが
、これに限定されるわけではなく、単体のディスク装置（ＤＶＤレコーダ、ＤＶＤプレー
ヤ）にも適用される。
【図面の簡単な説明】
【００４０】
【図１】本発明の実施の一形態であるディスク装置を示す拡大横断面図である。
【図２】同拡大縦断面図である。
【図３】同斜視図である。
【図４】同ダストカバーの斜視図である。
【図５】同ダストカバーの平面図である。
【図６】同変形例を示すダストカバーの斜視図である。
【図７】同ダストカバーの平面図である。
【図８】従来例を示す正面図である。
【図９】同一部切欠き平面図である。
【図１０】同拡大横断面図である。
【図１１】同拡大縦断面図である。
【図１２】同分解斜視図である。
【図１３】同ダストカバーの斜視図である。
【符号の説明】
【００４１】
１            筐体
１ａ          フロントパネル
１ｂ          ボトムシャーシ
２            ディスク装置本体
３            磁気テープ装置
４            ディスク取出口
５            テープカセット取出口
６            ローダーシャーシ
６ａ          ローダーシャーシの側板
７            基台
７ａ，７ｂ    基枠
８            基台
８ａ，８ｂ    基枠
９            トレイ
１２          ダストカバー
１３          トラバースシャーシ
１３Ａ        トラバースシャーシのシャーシ本体
１３Ｂ        トラバースシャーシの昇降体
１４          ターンテーブル
１６          光ピックアップ
１７          後側弾性体
１８          前側弾性体
１９          ガイド片
２０          ガイド枠
２２          カムスライダ
２３          カム機構
３７          ストッパ
Ｄ            ディスク
【図１】
2009020938.tif 000003
【図２】
2009020938.tif 000004
【図３】
2009020938.tif 000005
【図４】
2009020938.tif 000006
【図５】
2009020938.tif 000007
【図６】
2009020938.tif 000008
【図７】
2009020938.tif 000009
【図８】
2009020938.tif 000010
【図９】
2009020938.tif 000011
【図１０】
2009020938.tif 000012
【図１１】
2009020938.tif 000013
【図１２】
2009020938.tif 000014
【図１３】
2009020938.tif 000015